(57)【要約】【課題】  可変量のガスを供給する火工式ガス発生器を含む吸収システムを提供する。【解決手段】  本発明は、火工式ガス発生器（５）と制動チャンバ（２）内を移動できる摺動式ピストン（７）とを具備しており、前記火工式ガス発生器（５）は前記ピストン（７）を制動するためにガスを前記制動チャンバ（２）内に解放できるようになっている自動車の安全装置のためのエネルギ吸収システム（１）に関する。エネルギ吸収システムの特徴は、前記火工式ガス発生器（５）が可変量のガスを供給し、前記制動チャンバ（２）が圧力閾値を超えると起動される圧力調整装置（４）を具備することである。【選択図】      図１
2005001657.tif 000002
【特許請求の範囲】
【請求項１】
自動車の安全装置のためのエネルギ吸収システム（１）であって、火工式ガス発生器（５、５０、６０、７０）と制動チャンバ（２）内を移動できる摺動式ピストン（７）とを具備しており、前記火工式ガス発生器（５、５０、６０、７０）は前記ピストン（７）を制動するためにガスを前記制動チャンバ（２）内に解放できるようになっているエネルギ吸収システム（１）において、
前記火工式ガス発生器（５、５０、６０、７０）が量を変更可能にガスを供給し、前記制動チャンバ（２）が圧力閾値を超えると起動される圧力調整装置（４）を具備しているエネルギ吸収システム。
【請求項２】
副チャンバ（３）が前記制動チャンバ（２）と前記火工式ガス発生器（５、５０、６０、７０）とを分離しており、逆止弁（１１）が前記制動チャンバ（２）と前記副チャンバ（３）とを隔離している請求項１に記載のエネルギ吸収システム。
【請求項３】
前記圧力調整装置（４）が前記副チャンバ（３）に連通しており、前記副チャンバ（３）に放出されたガスが前記圧力調整装置（４）を加圧する請求項２に記載のエネルギ吸収システム。
【請求項４】
前記副チャンバ（３）に放出されたガスが前記圧力調整装置（４）の動作パラメータを変更する請求項３に記載のエネルギ吸収システム。
【請求項５】
前記制動チャンバ（２）と前記副チャンバ（３）とのそれぞれが前記圧力調整装置（４）を加圧するが、反対向きに影響する請求項３に記載のエネルギ吸収システム。
【請求項６】
前記圧力調整装置（４）が前記制動チャンバ（２）を前記副チャンバ（３）に接続するチャネル内に収容されており、該チャネルは外部に通ずる開口部（１５）を備えている請求項３に記載のエネルギ吸収システム。
【請求項７】
前記逆止弁（１１）は、ガスを前記副チャンバ（３）から前記制動チャンバ（２）に向かって外部方向にのみ通過させられる請求項２に記載のエネルギ吸収システム。
【請求項８】
前記圧力調整装置（４）が両端部に閉鎖部分（１３、１４）を具備する中心バネから構成される弁である請求項２に記載のエネルギ吸収システム。
【請求項９】
前記制動チャンバ（２）を閉鎖するための前記閉鎖部分はボール（１３）から構成されており、前記副チャンバ（３）を閉鎖するための前記閉鎖部分は副ピストン（１４）から構成されている請求項１に記載のエネルギ吸収システム。
【請求項１０】
前記ガス発生器（５０）は複数の火工炸薬（５１）を具備している請求項１に記載のエネルギ吸収システム。
【請求項１１】
点火装置が前記火工炸薬（５１）を互いに独立して点火することができる請求項１０に記載のエネルギ吸収システム。
【請求項１２】
前記点火装置が複数の前記火工炸薬（５１）を同時に点火することができる請求項１０に記載のエネルギ吸収システム。
【請求項１３】
前記点火装置が複数の前記火工炸薬（５１）を時間遅延を伴って点火することができる請求項１１に記載のエネルギ吸収システム。
【請求項１４】
前記火工炸薬（５１）がそれぞれ異なる特性を有している請求項１０に記載のエネルギ吸収システム。
【請求項１５】
前記火工炸薬（５１）のそれぞれは、破裂可能カバー（５４）が設けられたハウジング（５２）内に配置されている請求項１０に記載のエネルギ吸収システム。
【請求項１６】
前記ガス発生器（６０）は、カバー（６３）が設けられた燃焼チャンバ（６２）内に収容された火工炸薬（６１）と、前記燃焼チャンバ（６２）を閉鎖する閉鎖装置（６４）とを具備する請求項１に記載のエネルギ吸収システム。
【請求項１７】
前記閉鎖装置（６４）は火工式ガス発生器（６５）と、前記燃焼チャンバ（６２）を閉鎖するために前記ガスの影響下で移動させられる摺動部品（６７）とを具備する請求項１６に記載のエネルギ吸収システム。
【請求項１８】
二つのレベルで動作すると共に請求項１０から１５のいずれか一項に基づくエネルギ吸収システム（１）を含む制動方法において、
ｉ）第一の段階において、少なくとも一つの火工炸薬（５１、６１）が燃焼され、それにより、前記圧力調整装置（４）を一方では応力により配置させると共に他方では前記制動チャンバ（２）を圧縮し、
ｉｉ）第二の段階において、外部応力を受けた前記ピストン（７）が移動することにより前記制動チャンバ（２）の体積が減少して前記制動チャンバ（２）内の圧力が閾値に到達するときに、前記副チャンバ（３）内の圧力に応じて定まる特性を有する前記圧力調整装置（４）は、ガスを排出して前記制動チャンバ（２）内の圧力を一定にするために起動され、前記逆止弁（１１）はあらゆるガスが前記副チャンバ（３）に戻るのを妨げており、
ｉｉｉ）第三の段階において、前記制動チャンバ（２）内の圧力を増加させて前記ピストン（７）の制動作用を高めるために、前記ガス発生器（５０、７０）の他の火工炸薬（５１、６１）が燃焼され、前記制動方法の前記第二の段階の内容が第三の段階において繰り返されるようにした制動方法。
【請求項１９】
自動車の正面衝突時に前記自動車のバンパを制動する請求項１から１７のいずれか一項に記載のエネルギ吸収システムの使用。
【請求項２０】
自動車の乗員の下方部分を保護する請求項１から１７のいずれか一項に記載のエネルギ吸収システムの使用。
【請求項２１】
自動車のボンネットに対する歩行者の衝突を制動する請求項１から１７のいずれか一項に記載のエネルギ吸収システムの使用。
【請求項２２】
自動車のステアリングコラムを制動する請求項１から１７のいずれか一項に記載のエネルギ吸収システムの使用。
【発明の詳細な説明】
【技術分野】
【０００１】
本発明は、自動車の安全のために制動作用についてのエネルギ吸収システムに関する。制動作用は例えば、制動されない場合には衝撃時にかなり損傷する可能性のある自動車と外方物体とが機械的に衝突するときに運動し始める特定の部品の移動についての制動作用である。
【０００２】
本発明に基づく吸収システムはさらに特別には、自動車が低速で正面衝突するときに自動車のダンパを制動すること、自動車の乗員の下方部分を保護すること、歩行者がボンネットに衝突したときに自動車のボンネットの運動を制動すこと、シートベルトを着けた自動車の乗員の衝突時に及ぼされる力を調節可能に制限すること、もしくはドライバのステアリングコラムに対する衝撃を制動することに適している。これら部品が制動されない場合には、これら種々の部品、特にボンネットまたはステアリングコラムは衝突時に重大な損傷の源となりうる歩行者またはドライバに対して固定停止部分を形成する場合がある。
【背景技術】
【０００３】
エネルギ吸収システムが種々の特許出願明細書において既に開示されている。
欧州特許出願第ＥＰ０５５０３２１号はあらゆる形式のエネルギ吸収システムにおいて使用されうる制動された移動量についての火工式アクチュエータに関する。このアクチュエータは火工式ガス発生器と、ピストンと、炸薬材料のための燃焼チャンバおよび背圧チャンバと、燃焼チャンバとピストンの一端との間に含まれる中間チャンバとを具備している。チャネルは中間チャンバと背圧チャンバとを接続している。ピストンの運動に抵抗するために、ガス発生器から放出されたガスが中間チャンバを圧縮し、その結果、ピストンの移動を減衰させ、ガスの一部分がチャネルを通って背圧チャンバに向かって搬送される。
【発明の開示】
【課題を解決するための手段】
【０００４】
本発明に基づくエネルギ吸収システムは量を変更可能にガスを供給できる火工式ガス発生器を有し、それにより、エネルギ吸収システムが特定のパラメータ、例えば衝突時における速度およびドライバの形状を考慮できるようになる。それゆえ、エネルギ吸収システムは極めて多数の形態を容易に採用することができる。さらに、これらエネルギ吸収システムには、制動チャンバ内の圧力を調整する圧力調整装置を備えており、この圧力調整装置によって良好なパフォーマンスと信頼性とを与えることができる。
【０００５】
本発明の特徴は、自動車の安全装置のためのエネルギ吸収システムであって、火工式ガス発生器と制動チャンバ内を移動できる摺動式ピストンとを具備しており、前記火工式ガス発生器は前記ピストンを制動するためにガスを前記制動チャンバ内に解放できるようになっているエネルギ吸収システムにおいて、前記火工式ガス発生器が量を変更可能にガスを供給し、前記制動チャンバが圧力閾値を超えると起動される圧力調整装置を具備しているエネルギ吸収システムに関する。
【０００６】
本発明に基づくエネルギ吸収システムは、自動車が正面衝突するときのボンネットの運動を制動するために例えば自動車のボンネットとボンネット担持構造部との間に配置されうる。事故時には、ボンネットは特定の装置、例えば火工式アクチュエータが備えられた装置によって前進して、本発明に基づく吸収システムによって制動される。低速で衝突が生じるときには、このことによって、特にシャーシの変形を妨げることができ、従って、事故後の自動車の修繕費用を低減することができる。
【０００７】
本発明に基づくエネルギ吸収システムは、歩行者がボンネットに衝突した後に自動車のボンネットの運動を制動するのに使用されうる。この場合には、自動車が前方で歩行者に衝突するときに、ボンネットが自動車の前方に向かって設置された回動軸線回りに回動するので自動車のボンネットが特定の角度だけ上昇する。一般的に、歩行者は転倒して、自動車のボンネットに衝突する。ボンネットの下方に設置された本発明に基づくエネルギ吸収システムは、歩行者のボンネットに対する衝突により生じたボンネットの運動を制動することができる。本発明に基づくエネルギ吸収システムは、当該エネルギ吸収システムを自動車のダッシュボードの下方に配置することにより自動車の乗員の下方部分を保護すること、衝撃時にシートベルトを締めた自動車の乗員により及ぼされる力を調節可能な方法で制限すること、または衝突時にドライバのステアリングコラムに対する衝突を制動することにも使用されうる。
【０００８】
本発明に基づくエネルギ吸収システムは自動車と外部物体との間の衝突に続いて作動する。エネルギ吸収システムは、ピストンがわずかに変位する前にガスを制動チャンバに充填することを含む第一の設定段階を受ける。本発明に基づくエネルギ吸収システムが例えば前述した正面衝突時にバンパの運動を制動するのに使用されるときには、装置のピストンに固定されたボンネットの変位によって、ピストンが変位し、次いでガスが充填されている制動チャンバがピストンの運動を制動する。
【０００９】
本願明細書を良好に理解するために、本発明に基づく二つのカテゴリのエネルギ吸収システムの間に区別を設ける必要がある。
第一のカテゴリのエネルギ吸収システムは、単一の動作段階のみを含んでいる。
第二のカテゴリのエネルギ吸収システムは、二つの動作段階を含んでいる。後者の動作段階は、ピストンの搬送の途中において、新しい一連の火工炸薬が燃焼して制動チャンバ内の圧力を増大させると共にピストンの制動作用を補完する。第一の動作段階は第一のカテゴリのエネルギ吸収システムの動作段階と全ての点において同一である。第二の動作段階は、新しい一連の火工炸薬の燃焼によって開始される。
【００１０】
「制動作用」および「吸収」の概念は同一である。
【００１１】
有利には、副チャンバが前記制動チャンバと前記火工式ガス発生器とを分離しており、逆止弁が前記制動チャンバと前記副チャンバとを隔離している。
【００１２】
好ましくは、逆止弁はガスを副チャンバから制動チャンバに向かって外部方向にのみ通過させる。このようにして、制動チャンバ内に過剰な圧力が生じ、ガスは副チャンバには戻らなくなる。
【００１３】
有利には、前記副チャンバに放出されたガスが前記圧力調整装置の動作パラメータを変更する。
【００１４】
好ましくは、前記圧力調整装置が前記副チャンバに連通しており、前記副チャンバに放出されたガスが前記圧力調整装置を加圧する。従って、圧力調整装置は制動チャンバと制動チャンバの上流に設置された副チャンバとの両方を接続している。圧力調整装置は、制動チャンバ内で作用する前に、副チャンバ内に広がる圧力によって調整される。
【００１５】
有利には、前記制動チャンバと前記副チャンバとのそれぞれが前記圧力調整装置を加圧するが、反対向きに影響する。
【００１６】
好ましくは、前記圧力調整装置が前記制動チャンバを前記副チャンバに接続するチャネル内に収容されており、該チャネルは外部に通ずる開口部を備えている。
【００１７】
有利には、前記逆止弁は、ガスを前記副チャンバから前記制動チャンバに向かって外部方向にのみ通過させられる。
【００１８】
有利には、前記圧力調整装置が両端部に閉鎖部分を具備する中心バネから構成される弁である。
【００１９】
好ましくは、前記制動チャンバを閉鎖するための前記閉鎖部分はボールから構成されており、前記副チャンバを閉鎖するための前記閉鎖部分は副ピストンから構成されている。
【００２０】
本発明の第一の好ましい実施形態によれば、前記ガス発生器は複数の火工炸薬を具備している。
【００２１】
有利には、点火装置が前記火工炸薬を互いに独立して点火することができる。
【００２２】
好ましくは、前記点火装置が複数の前記火工炸薬を同時に点火することができる。
【００２３】
有利には、前記点火装置が複数の前記火工炸薬を時間遅延を伴って点火することができる。このようにして、エネルギ吸収システムに関連づけられた点火装置は一方では火工炸薬の起爆させると共に、他方では起爆のタイミングを決定することができるので、同一のエネルギ吸収システムにおける種々の火工炸薬の圧力は使用に際して極めて柔軟性を有するようになる。従って、火工炸薬を同時に起爆させるか、またはエネルギ吸収システムの作動状況を改善するために時間遅延を設定した状態で起爆させられる。
【００２４】
有利には、本発明に基づくエネルギ吸収システムに含まれる火工炸薬の全ては、化学配合物、形状、寸法または質量に関して異なる特性を有している。従って、火工炸薬の特性に関連づけられた点火装置の特性は、極めて多数の形状を扱うことのできる多用な組合せを提供することができる。
【００２５】
好ましくは、前記火工炸薬のそれぞれは、破裂可能カバーが設けられたハウジング内に配置されている。
【００２６】
有利には、副チャンバの圧力に抵抗すると共に、対応する火工炸薬の燃焼圧力下でのみ破裂するように寸法決めされている。
【００２７】
有利には、前記ガス発生器は、カバーが設けられた燃焼チャンバ内に収容された火工炸薬と、前記燃焼チャンバを閉鎖する閉鎖装置とを具備する。このようにして、火工炸薬が燃焼した後に、閉鎖装置が起動されて、燃焼チャンバを閉鎖して、副チャンバに生じたガスを停止させる。ガスは燃焼チャンバに蓄積し、最終的にカバーを破裂させ、従って、ガスを外部に排出することができる。
【００２８】
有利には、前記閉鎖装置は火工式ガス発生器と、前記燃焼チャンバを閉鎖するために前記ガスの影響下で移動させられる摺動部品とを具備する。これは、燃焼チャンバを閉鎖するために、ガス発生器により発生したガスの影響下で封入状態において摺動する摺動部品である。
【００２９】
本発明はさらに、二つのレベルで動作すると共に前述したエネルギ吸収システムを含む制動方法において、
ｉ）第一の段階において、少なくとも一つの火工炸薬が燃焼され、それにより、前記圧力調整装置を一方では応力により配置させると共に他方では前記制動チャンバを圧縮し、
ｉｉ）第二の段階において、外部応力を受けた前記ピストンが移動することにより前記制動チャンバの体積が減少して前記制動チャンバ内の圧力が閾値に到達するときに、前記副チャンバ内の圧力に応じて定まる特性を有する前記圧力調整装置は、ガスを排出して前記制動チャンバ内の圧力を一定にするために起動され、前記逆止弁はあらゆるガスが前記副チャンバに戻るのを妨げており、
ｉｉｉ）第三の段階において、前記制動チャンバ内の圧力を増加させて前記ピストンの制動作用を高めるために、前記ガス発生器の他の火工炸薬が燃焼され、前記制動方法の前記第二の段階の内容が第三の段階において繰り返されるようにした制動方法に関する。
【００３０】
本発明に基づくエネルギ吸収システムは、小スペースのみが必要であることと、効果が高いということの二重の利点を有している。制動機能のために特別に形成された追加の固体部品が干渉することなしにガス発生器が起動されてガスの急増が形成される限りにおいては、制動システムが存在しない範囲で、これらエネルギ吸収システムは小スペースを必要とする。含まれる火工炸薬の多様性によって初期の制動圧力の良好な制御ができ、特にエネルギ吸収システムをドライバの形態と衝突時の自動車の速度とに適合させられる。最終的に、制動チャンバの圧力調整装置が既に存在するガス源により調節されるので、本発明に基づくエネルギ吸収システムは単純な形状である。
【発明を実施するための最良の形態】
【００３１】
図１から図９を参照することにより、本発明の好ましい三つの実施形態を詳細に説明する。
図１を参照すると、本発明に基づく吸収システム１は制動チャンバ２と副チャンバ３と圧力調整装置４とガス発生器５とを具備している。制動チャンバ２は中空シリンダ６により形成されており、中空シリンダ６内にはピストン７が収容されており、ピストン７は直径の小さい円筒形状ロッド９により延伸した円筒形状本体８を含んでいる。本体８の直径は制動チャンバ２の内径よりも概ね小さい。ピストン７は、ピストン７の本体８と制動チャンバ２の内壁との間に位置するスペース１１内に挿入されたボール１０の形態をなしている逆止装置を具備している。スペース１１は断面が変化する環状スペースであり、スペース１１の一部がボール１０を受容することができる。
【００３２】
円筒形状の副チャンバ３は、互いに垂直でかつ直径の異なる二つの円筒形状部分を備えたＬ字形状である。副チャンバ３は制動チャンバ２に連結されており、それにより、制動チャンバ２および副チャンバ３が全体でＵ字形状を有するようになる。制動チャンバ２に連通する副チャンバ３の端部においては、副チャンバ３はバネおよびボール１２により形成される逆止弁１１を具備している。ボール１２は、両端部に開口部が形成されている中空シリンダ内に収容されている。その結果、ボール１２は予めわずかに付勢されたバネの付勢作用により二つの開口部のうちの一方を閉鎖するようになる。ボール１２の直径はボール１２を支持する開口部の直径よりも大きい。副チャンバ３については、ボール１２はバネの上流に配置されている。言い換えれば、制動チャンバ２および副チャンバ３は逆止弁１１によって互いに隔離されている。圧力調整装置４が制動チャンバ２と制動チャンバ２に対して平行な副チャンバ３の一部とを接続するチャネル内に配置されている。圧力調整装置４を収容するチャネルと逆止弁１１を含む副チャンバ３の一部とは互いに平行であって、制動チャンバ２と副チャンバ３の残りの部分とに対して垂直である。圧力調整装置４は、両端部に閉鎖部分を有する中心バネを含む排気弁より構成されている。制動チャンバ２を閉鎖する閉鎖部分はボール１３により構成されている。副チャンバ３を閉鎖する閉鎖部分は副ピストン１４により構成されている。中心バネは予め僅かに付勢されていて、ボール１３と副ピストン１４とに同時に抵抗している。圧力調整装置４を収容するチャネルは、バネを収容する圧力調整装置４の中心部分において、吸収システム１の外部に通ずる開口部１５を有している。火工式ガス発生器５は副チャンバ３の自由端に連結されている。
【００３３】
図７を参照すると、本発明の好ましい第一の実施形態によれば、ガス発生器５０は四つの火工炸薬５１を有しており、これら火工炸薬５１のそれぞれは円筒形状ハウジング５２内に収容されている。円筒形状ハウジング５２の一端には点火装置５３が設けられており、ハウジング５２の他端には破裂式カバー５４が設けられている。破裂式カバー５４は点火時圧力の影響下で崩壊するが副チャンバ３の圧力に耐えるように校正されている。
【００３４】
図８を参照すると、本発明の好ましい第二の実施形態によれば、ガス発生器６０は燃焼チャンバ６２に収容された火工炸薬６１を具備している。燃焼チャンバ６２には、破裂可能カバー６３と点火システム６６とが設けられている。ガス発生器６０は燃焼チャンバ６２を閉鎖するための閉鎖装置６４も具備している。閉鎖装置６４はガス発生部６５と摺動部品６７とを有している。燃焼チャンバ６２を閉鎖するために、摺動部品６７はガス発生部６５により生じたガスの影響下で移動する。ガス発生器６０は副チャンバ３に連通している。
【００３５】
図９を参照すると、本発明の好ましい第三の実施形態によれば、ガス発生器７０は図８に示される発生形式の二つのガス発生器６０を具備している。これらガス発生器６０は互いに接合されていて、ガス発生器６０の両方が副チャンバ３に連通している。副チャンバ３の上流においては二つのガス発生器６０のうちのそれぞれが破裂可能カバー７１を有している。破裂可能カバー７１は一方のガス発生器６０によって他方において引き起こされる燃焼を妨げている。
【００３６】
三つの前述した実施形態を含む本発明に基づく吸収システム１の動作モードは以下の通りである。
【００３７】
図２を参照すると、本発明の好ましい第一の実施形態によれば、ガス発生器５０の四つの火工炸薬５１のうちの二つが燃焼しており、それにより、破裂式カバー５４がそれぞれのハウジング５２において開放している。ガスは図面の矢印方向に副チャンバ３に広がり、次いで制動チャンバ２に到達する前に逆止弁１１を矢印方向に通過する。副チャンバ３の圧力は圧力調整装置４の副ピストン１４に作用し、圧力調整装置４の中心バネの圧縮作用を高めるとと共に、制動チャンバ２を閉鎖するボール１３の支持力を高める。
【００３８】
このことが、吸収システム１の設定段階である。本発明に基づく吸収システム１は例えば正面衝突した自動車のバンパの変位の吸収装置として使用されうる。事故時には、バンパは正面衝突が起こる外方物体の方向に最初に前進する。自動車の衝撃の影響下で、バンパは本発明に基づく吸収システム１によって制動される。図３を参照すると、衝撃時にはバンパは強制的な変位を受け、それにより、制動チャンバ２の外部方向に対してロッド９が後退する一定の方向にピストン７が移動する。図４を参照すると、制動チャンバ２は次いでピストン７の変位により圧縮され、制動チャンバ２内の圧力が閾値を超えると、ボール１３が抵抗し、それにより、ガスのための開口部が形成される。次いでガスは、圧力調整装置４を収容するチャネルの開口部１５を通って流出する。ピストン７の制動作用は一定の圧力において実行される。
【００３９】
二つの動作レベルを備えた吸収システム１は前述した段階に続く追加の段階を有している。図５を参照すると、この第二の段階は、第三の火工炸薬５１が燃焼するときに開始し、同時にピストン７は、第一の火工炸薬５１の燃焼により生じたガスによって圧縮された制動チャンバ２内を移動し続ける。副チャンバ３内に生じた新規のガスにより圧力調整装置４に作用する圧力が圧力調整装置４を再び閉鎖した後に、この追加の火工炸薬５１の燃焼により形成されたガスは制動チャンバ２に到達する。図６を参照すると、制動チャンバ２におけるこの追加のガスの急増がピストン７の制動作用を高めると共に、圧力調整装置４を再び起動していくらかのガスを制動チャンバ２から排出する。この第二の段階においては、ピストン７の制動作用が高められて、一定の圧力において実行される。
【００４０】
本発明の好ましい第二の実施形態の動作モードは、火工式発生器により生じたガスの供給という点において前述した第一の実施形態の動作モードとは異なる。他の全ての段階は同一である。図８を参照すると、燃焼チャンバ６２に設置された火工炸薬６１は点火システム６６により燃焼し、次いで供給されたガスが副チャンバ３に広がる。所定の時間後に、閉鎖装置６４はガス発生部６５の着火の影響により起動され、それにより、燃焼チャンバ６２を閉鎖するために摺動部品６７が摺動スペース内を移動するようになる。次いで、ガスが燃焼チャンバ６２内に蓄積され、ガスを外部に排出するために最終的に破裂可能カバー６３が破裂される。閉鎖装置６４が起動される瞬間に応じて排出されるガスの量を変化させられるそのようなガス発生器６０によって、本発明に基づく吸収システム１は単一の動作段階のみを有することができる。
【００４１】
本発明の好ましい第三の実施形態の動作モードは、ガス発生器７０によるガスの供給という点で、二つの動作レベルを有する吸収システムに関する前述した第一の実施形態の動作モードとは異なる。他の全ての段階は同一である。図９を参照すると、第一の段階は、本発明の好ましい第二の実施形態の場合の説明に基づく第一のガス発生器６０の燃焼により支配される。第二の段階は第一のガス発生器と同様な第二のガス発生器６０の燃焼により支配されている。
【００４２】
前述したように、本発明に基づく吸収システム１を複数の適用例、例えば歩行者がボンネットに衝突したときに自動車のボンネットの運動を制動するため、ドライバがステアリングコラムに衝突したことによるステアリングコラムの運動を制動するため、またはシートベルトを着けた自動車の乗員の衝突時に及ぼされる力を調節するために採用することができる。
【図面の簡単な説明】
【００４３】
【図１】四つの火工炸薬を備えたガス発生器が設けられている本発明に基づくエネルギ吸収システムの軸線方向略断面図である。
【図２】複数の動作段階における図１のエネルギ吸収システムを示す図である。
【図３】複数の動作段階における図１のエネルギ吸収システムを示す図である。
【図４】複数の動作段階における図１のエネルギ吸収システムを示す図である。
【図５】第二の動作レベルの異なる二つの段階における図１のエネルギ吸収システムを示す図である。
【図６】第二の動作レベルの異なる二つの段階における図１のエネルギ吸収システムを示す図である。
【図７】ガス発生器を拡大して示す部分拡大図である。
【図８】一つの火工炸薬を備えた本発明に基づくエネルギ吸収システムを示す図である。
【図９】二つの火工炸薬を備えた二つの動作レベルにおいて本発明に基づくエネルギ吸収システムを示す図である。
【符号の説明】
【００４４】
１…吸収システム
２…制動チャンバ
３…副チャンバ
４…圧力調整装置
５…ガス発生器
６…中空シリンダ
７…ピストン
８…円筒形状本体
９…円筒形状ロッド
１０…ボール
１１…逆止弁
１２…ボール
１３…ボール
１４…副ピストン
１５…開口部
５０…ガス発生器
５１…火工炸薬
５２…ハウジング
５３…点火装置
５４…破裂式カバー
６０…ガス発生器
６１…火工炸薬
６２…燃焼チャンバ
６３…破裂可能カバー
６４…閉鎖装置
６５…ガス発生部
６６…点火システム
６７…摺動部品
７０…ガス発生器
７１…破裂可能カバー
【図１】
2005001657.tif 000003
【図２】
2005001657.tif 000004
【図３】
2005001657.tif 000005
【図４】
2005001657.tif 000006
【図５】
2005001657.tif 000007
【図６】
2005001657.tif 000008
【図７】
2005001657.tif 000009
【図８】
2005001657.tif 000010
【図９】
2005001657.tif 000011